【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
表示部を有する通信装置であって、
前記表示部に表示する画面の色情報を変更する所定の処理を行うか否かを設定する設定手段と、
前記設定手段によって前記所定の処理を行うことが設定されている場合に、前記所定の処理を行って、画面上の色情報が変換された画面を前記表示部に表示するよう制御する表示制御手段と、を有し、
前記表示部に表示すべき画面に、外部装置によって読み取られるコード画像が含まれている場合、前記設定手段によって前記所定の設定が設定されている場合であっても、前記表示制御手段は、前記コード画像に対して前記所定の処理を行わないよう制御することを特徴とする通信装置。
【請求項２】
前記所定の処理を行うことが設定されている場合に、所定の色変換処理を実行する変換手段を更に有し、
前記表示制御手段は、前記画面を構成する画面コンポーネントであって、前記コード画像を構成しない画面コンポーネントを前記変換手段に変換した画像を前記表示部に表示し、前記コード画像を構成する画面コンポーネントに対しては前記変換手段による前記所定の処理を行うことなく前記表示部に表示するよう制御することを特徴とする請求項１に記載の通信装置。
【請求項３】
表示部を有する通信装置であって、
前記表示部に表示する画面の色情報を変更する所定の処理を行うか否かを設定する設定手段と、
複数の表示オブジェクトを含む画面を生成する生成手段と、
前記設定手段によって前記所定の処理を行うことが設定されている場合に、前記生成手段によって生成された画面の色情報を変換する変換手段と、
前記変換手段で変換された画像又は前記生成手段で生成された画像を前記表示部に表示する表示制御手段と、を有し、
前記生成手段は、画面を構成する表示オブジェクトに外部装置が読み取るコード画像に対応する表示オブジェクトが含まれており、かつ、前記設定手段によって前記所定の処理を行うことが設定されている場合に、前記コード画像に対応する表示オブジェクトに対して前記所定の処理を行った表示オブジェクトを含む画面を生成することを特徴とする通信装置。
【請求項４】
前記変換手段が実行する変換処理は、処理対象の画像の色反転を行う変換処理であることを特徴とする請求項２又は３に記載の通信装置。
【請求項５】
前記コード画像は、無線通信の認証情報を含むコード画像であることを特徴とする請求項１乃至４のいずれか１項に記載の通信装置。
【請求項６】
前記コード画像はアクセスポイントに接続するためのＳＳＩＤとキーの情報を含むコード画像であることを特徴とする請求項１乃至４のいずれか１項に記載の通信装置。
【請求項７】
前記コード画像は、ＱＲコードであることを特徴とする請求項１乃至６のいずれか１項に記載の通信装置。
【請求項８】
前記通信装置は、印刷装置であることを特徴とする請求項１乃至７のいずれか１項に記載の通信装置。
【請求項９】
表示部を有する通信装置を制御する制御方法であって、
前記表示部に表示する画面の色情報を変更する所定の処理を行うか否かを設定する設定工程と、
前記設定工程で前記所定の処理を行うことが設定されている場合に、前記所定の処理を行って、画面上の色情報が変換された画面を前記表示部に表示するよう制御する表示制御工程と、を有し、
前記表示部に表示すべき画面に、外部装置によって読み取られるコード画像が含まれている場合、前記設定工程によって前記所定の設定が設定されている場合であっても、前記表示制御工程は、前記コード画像に対して前記所定の処理を行わないよう制御することを特徴とする制御方法。
【請求項１０】
前記所定の処理を行うことが設定されている場合に、所定の色変換処理を実行する変換工程を更に有し、
前記表示制御工程は、前記画面を構成する画面コンポーネントであって、前記コード画像を構成しない画面コンポーネントを前記変換工程に変換した画像を前記表示部に表示し、前記コード画像を構成する画面コンポーネントに対しては前記変換工程による前記所定の処理を行うことなく前記表示部に表示するよう制御することを特徴とする請求項９に記載の制御方法。
【請求項１１】
表示部を有する通信装置を制御する制御方法であって、
前記表示部に表示する画面の色情報を変更する所定の処理を行うか否かを設定する設定工程と、
複数の表示オブジェクトを含む画面を生成する生成工程と、
前記設定工程で前記所定の処理を行うことが設定されている場合に、前記生成工程で生成された画面の色情報を変換する変換工程と、
前記変換工程で変換された画像又は前記生成工程で生成された画像を前記表示部に表示する表示制御工程と、を有し、
前記生成工程は、画面を構成する表示オブジェクトに外部装置が読み取るコード画像に対応する表示オブジェクトが含まれており、かつ、前記設定工程によって前記所定の処理を行うことが設定されている場合に、前記コード画像に対応する表示オブジェクトに対して前記所定の処理を行った表示オブジェクトを含む画面を生成することを特徴とする制御方法。
【請求項１２】
前記変換工程が実行する変換処理は、処理対象の画像の色反転を行う変換処理であることを特徴とする請求項１０又は１１に記載の制御方法。
【請求項１３】
前記コード画像は、無線通信の認証情報を含むコード画像であることを特徴とする請求項１０乃至１２のいずれか１項に記載の制御方法。
【請求項１４】
前記コード画像は、アクセスポイントに接続するためのＳＳＩＤとキーの情報を含むコード画像であることを特徴とする請求項１０乃至１３のいずれか１項に記載の制御方法。
【請求項１５】
前記コード画像は、ＱＲコードであることを特徴とする請求項１０乃至１４のいずれか１項に記載の制御方法。
【請求項１６】
前記通信装置は、印刷装置であることを特徴とする請求項１０乃至１５のいずれか１項に記載の制御方法。
【請求項１７】
請求項９乃至１６のいずれか１項に記載の制御方法の各工程をコンピュータに実行させるためのプログラム。
【手続補正２】
【補正対象書類名】明細書
【補正対象項目名】発明の名称
【補正方法】変更
【補正の内容】
【発明の名称】通信装置及びその制御方法とプログラム
【手続補正３】
【補正対象書類名】明細書
【補正対象項目名】０００１
【補正方法】変更
【補正の内容】
【０００１】
本発明は、通信装置及びその制御方法とプログラムに関するものである。
【手続補正４】
【補正対象書類名】明細書
【補正対象項目名】０００７
【補正方法】変更
【補正の内容】
【０００７】
本発明の目的は、画面の色情報を変更する所定の処理を行う設定の場合においても、コード画像に対応する表示オブジェクトを正しく認識できるようにする技術を提供することにある。
【手続補正５】
【補正対象書類名】明細書
【補正対象項目名】０００８
【補正方法】変更
【補正の内容】
【０００８】
上記目的を達成するために本発明の一態様に係る通信装置は以下のような構成を備える。即ち、
表示部を有する通信装置であって、
前記表示部に表示する画面の色情報を変更する所定の処理を行うか否かを設定する設定手段と、
前記設定手段によって前記所定の処理を行うことが設定されている場合に、前記所定の処理を行って、画面上の色情報が変換された画面を前記表示部に表示するよう制御する表示制御手段と、を有し、
前記表示部に表示すべき画面に、外部装置によって読み取られるコード画像が含まれている場合、前記設定手段によって前記所定の設定が設定されている場合であっても、前記表示制御手段は、前記コード画像に対して前記所定の処理を行わないよう制御することを特徴とする。
【手続補正６】
【補正対象書類名】明細書
【補正対象項目名】０００９
【補正方法】変更
【補正の内容】
【０００９】
本発明によれば、画面の色情報を変更する所定の処理を行う設定の場合においても、コード画像に対応する表示オブジェクトを正しく認識できるようになる。